(57)【要約】【課題】初期設置をより簡易に行うことができるＷｉ−Ｆｉドアベルの設定方法を提供することを目的とする。【解決手段】二次元コードを読み取ることが可能なカメラを備えるＷｉ−Ｆｉドアベル２と、二次元コードを表示可能な表示部６を備える移動通信端末４と、を用いるＷｉ−Ｆｉドアベル２の設定方法であって、表示部６に、Ｗｉ−Ｆｉドアベル２がＷｉ−Ｆｉルータ２０を介してネットワーク５と接続可能な状態になるためのパスワード情報が埋め込まれた二次元コードを表示させるステップと、二次元コードをＷｉ−Ｆｉドアベル２のカメラ９が読み取るステップと、読み取られた二次元コードに基づいて、Ｗｉ−Ｆｉドアベル２が、Ｗｉ−Ｆｉルータを介して、遠隔配置されるサーバ３と通信可能な状態に設定されるステップと、を含む。【選択図】図１
2019140652.tif 000002
【特許請求の範囲】
【請求項１】
二次元コードを読み取ることが可能なカメラを備えるＷｉ−Ｆｉドアベルと、二次元コードを表示可能な表示部を備える移動通信端末と、を用いるＷｉ−Ｆｉドアベルの設定方法であって、
前記表示部に、前記Ｗｉ−ＦｉドアベルがＷｉ−Ｆｉルータを介してネットワークと接続可能な状態になるためのパスワード情報が埋め込まれた二次元コードを表示させるステップと、
前記二次元コードを前記Ｗｉ−Ｆｉドアベルのカメラが読み取るステップと、
読み取られた前記二次元コードに基づいて、前記Ｗｉ−Ｆｉドアベルが、前記Ｗｉ−Ｆｉルータを介して、遠隔配置されるサーバと通信可能な状態に設定されるステップと、を含む方法。
【請求項２】
前記二次元コードには、前記Ｗｉ−Ｆｉドアベルの初期設置時の位置情報が埋め込まれている、請求項１に記載の方法。
【請求項３】
前記Ｗｉ−Ｆｉドアベルは、初期設定時に、前記Ｗｉ−Ｆｉドアベルのカメラにより人物画像を読み取ることで、前記サーバに特定の人物を記憶させることが可能であり、
前記Ｗｉ−Ｆｉドアベルは、前記サーバに記憶された前記人物画像に基づいて、呼び出し可否を判断することが可能となる、請求項１または２に記載の方法。
【請求項４】
音声認識部を備えるＷｉ−Ｆｉドアベルを用いるＷｉ−Ｆｉドアベルの設定方法であって、
前記Ｗｉ−ＦｉドアベルがＷｉ−Ｆｉルータを介してネットワークと接続可能な状態にするために読み上げられた音声パスワードを、前記音声認識部により認識された前記パスワードに基づき、前記Ｗｉ−Ｆｉドアベルが前記Ｗｉ−Ｆｉルータと接続されるステップと、
前記Ｗｉ−Ｆｉドアベルが、前記Ｗｉ−Ｆｉルータを介して、遠隔配置されるサーバと通信可能な状態に設定されるステップと、を含む方法。
【請求項５】
光線検出部を備えるＷｉ−Ｆｉドアベルを用いるＷｉ−Ｆｉドアベルの設定方法であって、
前記Ｗｉ−ＦｉドアベルがＷｉ−Ｆｉルータを介してネットワークと接続可能な状態にするためのパスワード情報を、光通信により、前記Ｗｉ−Ｆｉドアベルへ伝達するステップと、
前記パスワード情報により、前記Ｗｉ−ＦｉドアベルがＷｉ−Ｆｉルータを介してネットワークと接続可能な状態になるステップと、
前記Ｗｉ−Ｆｉドアベルが、前記Ｗｉ−Ｆｉルータを介して、遠隔配置されるサーバと通信可能な状態に設定されるステップと、を含む方法。
【請求項６】
超音波検出部を備えるＷｉ−Ｆｉドアベルを用いるＷｉ−Ｆｉドアベルの設定方法であって、
前記Ｗｉ−ＦｉドアベルがＷｉ−Ｆｉルータを介してネットワークと接続可能な状態にするためのパスワード情報を、超音波通信により、前記Ｗｉ−Ｆｉドアベルへ伝達するステップと、
前記パスワード情報により、前記Ｗｉ−ＦｉドアベルがＷｉ−Ｆｉルータを介してネットワークと接続可能な状態になるステップと、
前記Ｗｉ−Ｆｉドアベルが、前記Ｗｉ−Ｆｉルータを介して、遠隔配置されるサーバと通信可能な状態に設定されるステップと、を含む方法。
【発明の詳細な説明】
【技術分野】
【０００１】
本発明は、Ｗｉ−Ｆｉドアベルの設定方法に関する。
【背景技術】
【０００２】
遠隔配置されるコンピューティング・デバイスと無線通信できるドアベルを用いて、第１の無線ネットワークを検出し、その後、ドアベルと遠隔配置されるコンピューティング・デバイスとの間における第２の無線ネットワークを作ることにより、第２の無線ネットワークを介して、ドアベルとコンピューティング・デバイスが直接通信できるようにする方法が知られている（特許文献１参照）。
【先行技術文献】
【特許文献】
【０００３】
【特許文献１】米国特許第９０９４５８４号明細書
【特許文献２】米国特許第８８７２９１５号明細書
【特許文献３】米国特許第９２３７３１８号明細書
【特許文献４】米国特許第８１４４１８３号明細書
【特許文献５】米国特許第９４３２６３８号明細書
【特許文献６】米国特許第９４８５４７８号明細書
【特許文献７】米国特許第９５１６２８４号明細書
【発明の概要】
【発明が解決しようとする課題】
【０００４】
近年、居室親機を持たない簡易的なインターホンシステムが普及してきている。このようなインターホンシステムにおいては、ドアベルとデバイスとを、例えばＷｉ−Ｆｉにより通信可能とし、ドアベルからの呼び出しがデバイスから通知されるように構成されている（Ｗｉ−Ｆｉドアベル）。多くのＷｉ−Ｆｉドアベル（Ｗｉ−Ｆｉドアベルシステム）は、ユーザ自らが組み立てて設置している。このため、ＷＩＦＩドアベルの初期設置をより簡易に行いたいというユーザ側のニーズが存在する。
【０００５】
本発明は、初期設置をより簡易に行うことができるＷｉ−Ｆｉドアベルの設定方法を提供することを目的とする。
【課題を解決するための手段】
【０００６】
本発明の一態様に係るＷｉ−Ｆｉドアベルの設定方法は、
二次元コードを読み取ることが可能なカメラを備えるＷｉ−Ｆｉドアベルと、二次元コードを表示可能な表示部を備える移動通信端末と、を用いるＷｉ−Ｆｉドアベルの設定方法であって、
前記表示部に、前記Ｗｉ−ＦｉドアベルがＷｉ−Ｆｉルータを介してネットワークと接続可能な状態になるためのパスワード情報が埋め込まれた二次元コードを表示させるステップと、
前記二次元コードを前記Ｗｉ−Ｆｉドアベルのカメラが読み取るステップと、
読み取られた前記二次元コードに基づいて、前記Ｗｉ−Ｆｉドアベルが、前記Ｗｉ−Ｆｉルータを介して、遠隔配置されるサーバと通信可能な状態に設定されるステップと、を含む。
【０００７】
上記構成によれば、移動通信端末の表示部に表示された二次元コードをＷｉ−Ｆｉドアベルのカメラで読み取るだけで、Ｗｉ−Ｆｉドアベルとサーバが通信可能な状態になり、Ｗｉ−Ｆｉドアベルの初期設定は完了する。これにより、ユーザはより簡便にＷｉ−Ｆｉドアベルの初期設定ができるので、Ｗｉ−Ｆｉドアベルの設置に伴うユーザ側の負担が軽減される。
このように、上記構成によれば、初期設置をより簡易に行うことができるＷｉ−Ｆｉドアベルの設定方法を提供することができる。
【０００８】
また、本発明の一態様に係るＷｉ−Ｆｉドアベルの設定方法において、
前記二次元コードには、前記Ｗｉ−Ｆｉドアベルの初期設置時の位置情報が埋め込まれている。
【０００９】
上記構成によれば、Ｗｉ−Ｆｉドアベルは初期設置時の位置情報を保有しているため、万が一、Ｗｉ−Ｆｉドアベルが盗まれたとしても、盗難品か否かの特定が容易にできる。このため、Ｗｉ−Ｆｉドアベルの不正使用や不正転売を予防することができる。
このように、上記構成によれば、より防犯性を高くするＷｉ−Ｆｉドアベルの設定方法を提供することができる。
【００１０】
また、本発明の一態様に係るＷｉ−Ｆｉドアベルの設定方法において、
前記Ｗｉ−Ｆｉドアベルは、初期設定時に、前記Ｗｉ−Ｆｉドアベルのカメラにより人物画像を読み取ることで、前記サーバに特定の人物を記憶させることが可能であり、
前記Ｗｉ−Ｆｉドアベルは、前記サーバに記憶された前記人物画像に基づいて、呼び出し可否を判断することが可能となる。
【００１１】
上記構成によれば、ユーザはＷｉ−Ｆｉドアベルの初期設定時に、ユーザ自身やユーザの友人といった特定の人物の顔等をＷｉ−Ｆｉドアベルに記憶させることができる。これにより、呼び出しに応じても問題ない相手については、スムースに屋内へ通すことができる。また、反対に、不審者といった屋内へ通したくない相手に対しては、ユーザの呼出を行わなくなるため、訪問者が来るたびにユーザを呼び出すということがなくなる。
このように、上記構成によれば、不必要にユーザを呼び出すことのないＷｉ−Ｆｉドアベルの設定方法を提供することができる。
【００１２】
また、本発明の一態様に係るＷｉ−Ｆｉドアベルの設定方法は、
音声認識部を備えるＷｉ−Ｆｉドアベルを用いるＷｉ−Ｆｉドアベルの設定方法であって、
前記Ｗｉ−ＦｉドアベルがＷｉ−Ｆｉルータを介してネットワークと接続可能な状態にするために読み上げられた音声パスワードを、前記音声認識部により認識された前記パスワードに基づき、前記Ｗｉ−Ｆｉドアベルが前記Ｗｉ−Ｆｉルータと接続されるステップと、
前記Ｗｉ−Ｆｉドアベルが、前記Ｗｉ−Ｆｉルータを介して、遠隔配置されるサーバと通信可能な状態に設定されるステップと、を含む。
【００１３】
上記構成によれば、ユーザは、Ｗｉ−ＦｉドアベルとＷｉ−Ｆｉルータとを接続するためのパスワードを読み上げるだけで、Ｗｉ−Ｆｉドアベルの初期設定を完了させることができる。これにより、ユーザはより簡便にＷｉ−Ｆｉドアベルの初期設定ができるので、Ｗｉ−Ｆｉドアベルの設置に伴うユーザ側の負担が軽減される。
このように、上記構成によれば、初期設置をより簡易に行うことができるＷｉ−Ｆｉドアベルの設定方法を提供することができる。
【００１４】
また、本発明の一態様に係るＷｉ−Ｆｉドアベルの設定方法は、
光線検出部を備えるＷｉ−Ｆｉドアベルを用いるＷｉ−Ｆｉドアベルの設定方法であって、
前記Ｗｉ−ＦｉドアベルがＷｉ−Ｆｉルータを介してネットワークと接続可能な状態にするためのパスワード情報を、光通信により、前記Ｗｉ−Ｆｉドアベルへ伝達するステップと、
前記パスワード情報により、前記Ｗｉ−ＦｉドアベルがＷｉ−Ｆｉルータを介してネットワークと接続可能な状態になるステップと、
前記Ｗｉ−Ｆｉドアベルが、前記Ｗｉ−Ｆｉルータを介して、遠隔配置されるサーバと通信可能な状態に設定されるステップと、を含む。
【００１５】
上記構成によれば、ユーザは、Ｗｉ−Ｆｉドアベルの光線検出部に向けて、端末から光線をＷｉ−Ｆｉドアベルに射出するだけで、Ｗｉ−Ｆｉドアベルの初期設定を完了させることができる。これにより、ユーザはより簡便にＷｉ−Ｆｉドアベルの初期設定ができるので、Ｗｉ−Ｆｉドアベルの設置に伴うユーザ側の負担が軽減される。
このように、上記構成によれば、初期設置をより簡易に行うことができるＷｉ−Ｆｉドアベルの設定方法を提供することができる。
【００１６】
また、本発明の一態様に係るＷｉ−Ｆｉドアベルの設定方法は、
超音波検出部を備えるＷｉ−Ｆｉドアベルを用いるＷｉ−Ｆｉドアベルの設定方法であって、
前記Ｗｉ−ＦｉドアベルがＷｉ−Ｆｉルータを介してネットワークと接続可能な状態にするためのパスワード情報を、超音波通信により、前記Ｗｉ−Ｆｉドアベルへ伝達するステップと、
前記パスワード情報により、前記Ｗｉ−ＦｉドアベルがＷｉ−Ｆｉルータを介してネットワークと接続可能な状態になるステップと、
前記Ｗｉ−Ｆｉドアベルが、前記Ｗｉ−Ｆｉルータを介して、遠隔配置されるサーバと通信可能な状態に設定されるステップと、を含む。
【００１７】
上記構成によれば、ユーザは、Ｗｉ−Ｆｉドアベルの超音波検出部に向けて、端末から超音波を射出するだけで、Ｗｉ−Ｆｉドアベルの初期設定を完了させることができる。これにより、ユーザはより簡便にＷｉ−Ｆｉドアベルの初期設定ができるので、Ｗｉ−Ｆｉドアベルの設置に伴うユーザ側の負担が軽減される。
このように、上記構成によれば、初期設置をより簡易に行うことができるＷｉ−Ｆｉドアベルの設定方法を提供することができる。
【発明の効果】
【００１８】
本発明によれば、初期設置をより簡易に行うことができるＷｉ−Ｆｉドアベルの設定方法を提供することができる。
【図面の簡単な説明】
【００１９】
【図１】本発明の一形態に係るシステム模式図である。
【図２】本発明の一形態に係るドアベルの機能ブロック図である。
【図３】二次元コードを用いたドアベルの初期設定に係る流れを示すフロー図である。
【図４】ドアベルの初期設定に用いるアプリケーションを起動された時に、移動通信端末の表示部に表示される画面を示す図である。
【図５】二次元コードを移動通信端末の表示部に表示させた状態を示す図である。
【図６】移動通信端末の表示部に表示させた二次元コードを、ドアベルに読み取らせている状態を示す図である。
【図７】音声パスワードを用いたドアベルの初期設定に係る流れを示すフロー図である。
【図８】可視光通信を用いたドアベルの初期設定に係る流れを示すフロー図である。
【図９】超音波通信を用いたドアベルの初期設定に係る流れを示すフロー図である。
【発明を実施するための形態】
【００２０】
＜全体構成＞
以下、本発明の実施形態について図面を参照しながら説明する。
図１は、本発明に係るドアベルシステム１を示している。図１に示すように、ドアベルシステム１は、ドアベル２（Ｗｉ−Ｆｉドアベル２とも呼ぶ。）と、サーバ３と、移動通信端末４（端末４とも呼ぶ。）と、を有している。ドアベル２と移動通信端末４は、ネットワーク５を介して、サーバ３と通信可能である。ドアベル２及び移動通信端末４とネットワーク５を中継する通信機器としては、例えば、ルータ２０（Ｗｉ−Ｆｉルータ２０とも呼ぶ。）が用いられ得る。また、移動通信端末４としては、例えば、ノートＰＣ、タブレット端末、スマートフォン等の電子機器が利用され得る。
【００２１】
サーバ３は、記憶部（図示せず）を有している。当該記憶部は、ドアベル２のユーザ（居住者）や来訪者に関する情報、ドアベル２の位置情報等を記憶可能である。
【００２２】
移動通信端末４は、表示部６と、発光部（図示せず）と、発振部（図示せず）と、を有している。表示部６は、液晶ディスプレイ、有機ＥＬディスプレイ等のタッチスクリーン型のディスプレイであって、画像（操作画像や二次元コード等）を表示するように構成されている。発光部は、赤外線等の可視光線を射出可能である。当該可視光線は、可視光通信に用いられ得る。発振部は、超音波を発振可能である。当該超音波は、超音波通信に用いられ得る。
移動通信端末４は、ドアベル２とサーバ３を接続可能にするためのパスワード情報を表示部６に表示させ、又は送信することができる。パスワード情報の表示形式は二次元コード、音声パスワードとして読み上げられるための文字等であって、送信形式としては、可視光線通信、超音波通信等である。
また、ユーザは、ドアベル２の初期設定用のアプリケーションをダウンロードした移動通信端末４及びネットワーク５を介して、来訪者の受け入れ可否の条件設定の登録やドアベル２の位置情報をサーバ３に登録することができる。
【００２３】
図２は、ドアベル２の機能ブロック図である。図２に示すように、ドアベル２は、制御部７と、通信ＩＦ（インターフェース）８と、カメラ９と、操作部１０と、マイク１２と、スピーカ１３と、人感センサ１４と、映像処理部１５と、音声認識部１７と、光線検出部１８と、超音波検出部１９と、記憶部２１と、人工知能部２２と、条件記憶部２３と、判断部２４と、呼出通知部２５と、保存部２６と、モーションセンサ２７と、接触認識部２９と、ＧＰＳ（Ｇｌｏｂａｌ  Ｐｏｓｉｔｉｏｎｉｎｇ  Ｓｙｓｔｅｍ）（図示せず）を有している。これらはバス１１を介して互いに通信可能に接続されている。
【００２４】
制御部７は、ドアベル２の各部の動作を制御するための制御部であり、１以上のプロセッサと１以上のメモリを含む少なくとも一つのマイクロコントローラと、トランジスタ等のアクティブ素子およびパッシブ素子を含むその他電子回路を含んでもよい。プロセッサは、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）および／またはＴＰＵ（Ｔｅｎｓｏｒ  Ｐｒｏｃｅｓｓｉｎｇ  Ｕｎｉｔ）である。ＣＰＵは、複数のＣＰＵコアによって構成されてもよい。ＣＰＵは、例えば、人感センサ１４が来訪者を検知すると、カメラ９が来訪者の撮像を開始するように制御する。ＧＰＵは、複数のＧＰＵコアによって構成されてもよい。メモリは、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を含む。ＲＯＭには、ドアベル制御プログラムが記憶されてもよい。ＲＡＭには、ドアベル制御プログラムが一時的に記憶されてもよい。プロセッサは、記憶装置またはＲＯＭに記憶されたドアベル制御プログラムから指定されたプログラムをＲＡＭ上に展開し、ＲＡＭとの協働で各種処理を実行するように構成されてもよい。
また、制御部７は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍａｍｍａｂｌｅ  Ｇａｔｅ  Ａｒｒａｙ）等の集積回路（ハードウェア資源）によって構成されてもよい。さらに、制御部７は、少なくとも一つのマイクロコントローラと集積回路との組み合わせによって構成されてもよい。
【００２５】
制御部７は、後述する光線検出部１８や超音波検出部１９から受信した信号が、ドアベル２がネットワーク５と接続可能な状態になるためのパスワード情報を含んでいる場合、当該信号からパスワード情報を認識し、その認識したパスワード情報を通信ＩＦ８に伝達する。
【００２６】
通信ＩＦ８は、ルータ２０を介して、ネットワーク５への接続を可能にする装置あるいはインターフェースである。通信ＩＦ８を介して、ドアベル２は、ネットワーク５に接続されたサーバ３と適宜に通信することができる。
【００２７】
通信ＩＦ８は、送受信機能を有している。送信機能に着目すれば、通信ＩＦ８は、例えば、ドアベル２の位置情報を、ネットワーク５を介してサーバ３に送信する送信手段の一例として機能する。
【００２８】
また、受信機能に着目すれば、通信ＩＦ８は、例えば、ドアベル２の位置情報を、ネットワーク５を介してサーバ３から受信する受信手段の一例として機能する。
【００２９】
カメラ９は、ドアベル２の前方を含む周囲を撮影する。カメラ９の撮像範囲に来訪者が存在している場合、カメラ９は、その来訪者を撮影する。さらに、カメラ９は、二次元コードの読み取りも可能である。また、マイク１２は、ドアベル２の周辺の来訪者の声等の音声を捉える。スピーカ１３は、ユーザの端末、例えば、インターホン親機のマイクで捉えられたユーザの声等の音声を発する。
【００３０】
操作部１０は、来訪者の各種入力操作を受け付ける。各種入力操作には、例えば、ユーザの呼出等が含まれる。
【００３１】
人感センサ１４は、赤外線等により、来訪者を検知するように構成されている。人感センサ１４は、来訪者を検知すると、来訪者がドアベル２に接近していることを制御部７に伝達する。
【００３２】
映像処理部１５は、制御部７に備わっているプロセッサと同様のプロセッサにより構成され得る。映像処理部１５は、カメラ９が撮像や読み込み等をしたデータを処理して、処理結果を通信ＩＦ８に伝達する。映像処理部１５は、カメラ９が撮像した画像を分析するためのソフトウェアを備えている。映像処理部１５は、来訪者により、操作部１０の呼出ボタンが押下されると、後述する条件記憶部２３に記憶された条件に基づいてカメラ９により撮像された画像を分析することも可能である。
【００３３】
音声認識部１７は、制御部７に備わっているプロセッサと同様のプロセッサにより構成され得る。音声認識部１７は、マイク１２が捉えた声等の音声データを受信する。受信した音声データが、例えば、ドアベル２がネットワーク５と接続可能な状態になるためのパスワード情報に関するものであった場合、音声認識部１７は、受信した音声データからパスワード情報を認識し、その認識したパスワード情報を通信ＩＦ８に伝達する。
音声認識部１７は、マイク１２を介して捉えられた来訪者の音声データが、居住者を呼び出すための音声、例えば、「ごめんください。阿部様いらっしゃいますか。」というような音声に関する音声データであるかどうかを認識することができる。音声認識部１７は、居住者を呼び出すための音声データを認識した場合、呼出通知部２５又は制御部７に呼出があったことを示す検出信号を送信する。
さらに、音声認識部１７は、受信した音声データが居住者を呼び出すための音声に関するデータであった場合、受信した音声データを人工知能部２２に伝達することもできる。
【００３４】
光線検出部１８は、検出センサを備えている。光線検出部１８は、例えば、移動通信端末４から射出された光線（例えば、可視光光線）を検出する。光線検出部１８は、検出された光線を信号に変換し、当該信号を制御部７に送信する。
【００３５】
超音波検出部１９は、超音波マイクを有している。超音波検出部１９は、例えば、移動通信端末４から射出された超音波を検出する。超音波検出部１９は、検出された超音波を信号に変換し、当該信号を制御部７に送信する。
【００３６】
記憶部２１は、人物に関するデータが記憶されている。人物に関するデータとは、個人を特定するのに有用なデータである。例えば、氏名、性別、年齢、身長、音声、身体的特徴等に関する画像、動画等がこれに当たる。例えば、ユーザがネットワーク５を介して、移動通信端末４から記憶部２１に画像データを送ることで、記憶部２１は画像データを記憶することができる。
【００３７】
人工知能部２２は、プロセッサ、メモリ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）等のハードウェア構成要素を有している。また、人工知能部２２は、一般的に人工知能エンジンと呼ばれるソフトウェアを有している。
人工知能部２２は、過去に蓄積された複数のデータや学習済みモデルを蓄積可能である。また、人工知能部２２は、ニューラルネットワークやディープラーニング等のフレームワークによる機械学習も可能である。
【００３８】
このため、人工知能部２２は、例えば、単語、イントネーション、会話の文法等の会話に関する情報を記憶することができる。マイク１２が捉えた来訪者の音声を分析し、その意味内容を解釈することができる。そして、人工知能部２２は、音声認識部１７又は人工知能部２２によって解釈された意味内容に基づき、適切なメッセージを生成する。当該メッセージは、音声データとしてスピーカ１３に送信される。このように、人工知能部２２は、来訪者と対話可能である。
【００３９】
人工知能部２２は、映像処理部１５によって処理された画像データやマイク１２を介して音声認識部１７が認識した音声データと、記憶部２１に記録されたデータとの一致度を数値化（照合）することができる。
【００４０】
照合にあたり、ユーザは、対応付けができたかできなかったのかの基準を人工知能部２２に学習又は記憶させることができる。当該基準としては、例えば、上述した数値化された一致度が所定の閾値以上であれば、その来訪者からの呼出をユーザの端末４に通知するといった基準である。
【００４１】
人工知能部２２は、映像処理部１５によって処理された画像データや、マイク１２を介して音声認識部１７が認識した音声データと、記憶部２１に記録されたデータとを照合する。映像処理部１５によって処理された画像データや、マイク１２を介して音声認識部１７が受信した音声データと、記憶部２１に記録されたデータとの一致度が、所定の閾値以上である場合、その来訪者からの呼出は、ユーザの端末４に通知される。
【００４２】
条件記憶部２３は、ユーザの端末４への通知を行わない条件を記憶するためのメモリを有している。当該条件は、ユーザが、自身の端末４を介して設定する。当該条件は、呼び出しを許可する来訪者又は呼び出しを許可しない来訪者に関する情報である。呼び出しを許可しない来訪者とは、端末４への通知を行わないよう、ユーザが予め設定した者や、端末４への通知を行うよう、ユーザが予め条件記憶部２３に記憶させた条件を満たさない者をいう。来訪者が不審者であるか否かの判断基準には、例えば、来訪者がキョロキョロしているか否かといった基準を含んでも良い。また、条件記憶部２３は、後述する不審者度数に基づいて、ユーザへの端末４への通知を行うか否かを判断するための閾値を記憶可能である。なお、条件記憶部２３に記憶される閾値は、ユーザが任意に設定できる。
【００４３】
判断部２４は、制御部７に備わっているプロセッサと同様のプロセッサにより構成され得る。判断部２４は、映像処理部１５による分析結果に基づいて、不審者度数を算出することができる。不審者度数は、例えば、設定された判断基準に対する、該当する判断基準の数を、百分率を用いて算出される。本実施形態では、この方法を用いて不審者度数を算定する。
【００４４】
判断部２４は、判断部２４が算出した不審者度数と、条件記憶部２３に記憶された閾値とを比較する。比較した結果に基づき、判断部２４は、居住者を呼び出すか否かの判断をする。
また、判断部２４は、後述する保存部２６に保存されている、撮像画像及び不審者度数と、映像処理部１５による分析結果とを比較し、その比較結果も利用して、居住者を呼び出すか否かの判断をすることもできる。
【００４５】
判断部２４は、モーションセンサ２７から出力された検知信号に基づいて、来訪者がモーションセンサ２７に向かって接近しているかどうかの判断を行うことができる。例えば、来訪者がモーションセンサ２７に向かって前進していることを示す検知信号が出力された場合、判断部２４は、来訪者がモーションセンサ２７に向かって接近していると判断する。判断部２４によってなされた判断結果は、制御部７へ伝達される。
【００４６】
呼出通知部２５は、来訪者からの呼出があったことをユーザに通知する。呼出通知部２５は、操作部１０の呼出ボタンが押下されることにより、ユーザの端末４に通知してもよいし、判断部２４又は制御部７などからの指令に基づいて、ユーザの端末４に通知してもよい。
【００４７】
保存部２６は、画像データや数値データ等が保存可能なメモリを有している。保存部２６は、カメラ９が撮像した画像及び判断部２４が算出した不審者度数を保存する手段である。
【００４８】
モーションセンサ２７は、赤外線、マイクロ波、ミリ波等を用い、来訪者の動作を連続的に検知するように構成されている。モーションセンサ２７は、人感センサ１４が来訪者を検知した信号に基づいて起動する。モーションセンサ２７が来訪者の動作を検知すると、モーションセンサ２７は、検知結果としての検知信号を判断部２４へ出力する。
【００４９】
接触認識部２９は、例えば、圧力センサなどにより構成されており、所定の圧力負荷を検出した場合に、呼出通知部２５又は制御部７に検出信号を送信する。すなわち、来訪者が接触認識部２９に対してノックをすると、接触認識部２９は呼出通知部２５又は制御部７に検出信号を送信する。
【００５０】
＜第一動作例＞
図３から図６を参照して、二次元コードを用いたドアベル２の初期設定方法を説明する。
【００５１】
図３は、二次元コードを用いたドアベル２の初期設定に係る流れを示すフロー図である。図３に示すように、ドアベル２のユーザは、自身が保有する移動通信端末４に、当該初期設定専用のアプリケーションをサーバ３からダウンロードする（ステップＳ１）。
【００５２】
図４は、ドアベル２の初期設定に用いるアプリケーションが起動された時に、移動通信端末４の表示部６に表示される画面を示す図である。
【００５３】
図４に示すように、当該アプリケーションを起動させると、ドアベル２及びドアベル２のユーザに関する入力画面が移動通信端末４の表示部６に表示される。ユーザは、当該画面において、ドアベル２及びドアベル２のユーザに関する情報（例えば、ドアベル２の位置情報）を入力する（ステップＳ２）。ドアベル２の位置情報は、ドアベル２の位置情報として登録するためのユーザの住所又は端末４のＧＰＳにより取得される位置情報である。ドアベル２の位置情報の入力が完了すると、移動通信端末４に入力情報が保存される。また、入力情報は、ネットワーク５を介して、サーバ３に送信される。
【００５４】
移動通信端末４にドアベル２の位置情報が入力されると、入力された情報に基づいて、ドアベル２がネットワーク５と接続可能な状態になるためのパスワード情報が埋め込まれた二次元コード情報が、アプリケーションによって生成される（ステップＳ３）。
【００５５】
上述の二次元コード情報が生成されると、図５に示すように、移動通信端末４の表示部６に二次元コードが表示される（ステップＳ４）。
【００５６】
次に、ユーザは、図６に示すように、移動通信端末４の表示部６に表示された二次元コードをカメラ９に読み取らせる（ステップＳ５）。
【００５７】
カメラ９が撮像した画像について、映像処理部１５が二次元コードを認識する。それにより、映像処理部１５は、二次元コードから、二次元コードに埋め込まれた上述のパスワードを取得する（ステップＳ６）。
【００５８】
映像処理部１５が当該パスワードを取得すると、当該パスワードは通信ＩＦ８に伝達される。通信ＩＦ８は、受信したパスワードをルータ２０に送信する。ルータ２０は受信したパスワードを認証する。ルータ２０が、パスワードが有効であると判断した場合、ルータ２０は、ドアベル２とネットワーク５を中継する（ステップＳ７）。
【００５９】
その結果、ドアベル２は、ネットワーク５を介して、サーバ３と通信可能な状態になる（ステップＳ８）。これにより、ドアベル２と端末４とのペアリングが設定される。これをもって、ドアベル２の初期設定は完了となる（ステップＳ９）。
【００６０】
上記構成によれば、移動通信端末４の表示部６に表示された二次元コードをドアベル２のカメラ９で読み取るだけで、ドアベル２とサーバ３が通信可能な状態になり、ドアベル２の初期設定は完了する。これにより、ユーザはより簡便にドアベル２の初期設定ができるので、ドアベル２の設置に伴うユーザ側の負担が軽減される。
このように、上記構成によれば、初期設置をより簡易に行うことができるドアベル２の設定方法を提供することができる。
【００６１】
また、上記構成によれば、ドアベル２は初期設置時の位置情報を保有しているため、ドアベル２が盗まれたとしても、盗難品か否かの特定が容易にできる。このため、ドアベル２の不正使用や不正転売を予防することができる。
このように、上記構成によれば、より防犯性を高くするドアベル２の設定方法を提供することができる。
【００６２】
＜第二動作例＞
次に、図７を参照して、第二実施形態に係るドアベル２の初期設定方法について説明する。図７は、音声パスワードを用いたドアベル２の初期設定に係る流れを示すフロー図である。
【００６３】
第二動作例は、ドアベル２がネットワーク５と接続可能な状態になるためのパスワード情報を、音声でドアベル２に伝達している点で第一動作例と異なっている。
【００６４】
図７のステップＳ１１からＳ１２は、図３のステップＳ１からＳ２と同様なので、説明を割愛する。また、ステップＳ１８及びＳ１９についても、図３のステップＳ８及びＳ９と同様なので、説明を割愛する。
【００６５】
移動通信端末４にドアベル２の位置情報が入力されると、入力された情報に基づいて、ドアベル２がネットワーク５と接続可能な状態になるためのパスワード情報がアプリケーションによって生成される（ステップＳ１３）。パスワード情報は文字データとして、表示部６に表示される（ステップＳ１４）。
【００６６】
ユーザは、表示部６に表示されたパスワード情報を、マイク１２に向かって読み上げる（ステップＳ１５）。
【００６７】
音声認識部１７は、マイク１２が捉えた来訪者の音声から音声データを受信する。音声認識部１７は、受信した音声データを認識して、パスワード情報を取得する（ステップＳ１６）。
【００６８】
取得されたパスワード情報は、通信ＩＦ８に伝達される。通信ＩＦ８は、受信したパスワードをルータ２０に送信する。ルータ２０は受信したパスワードに基づいて、ドアベル２とネットワーク５を中継する（ステップＳ１７）。
【００６９】
上記構成によれば、ユーザは、ドアベル２とルータ２０とを接続するためのパスワードを読み上げるだけで、ドアベル２の初期設定を完了させることができる。これにより、ユーザはより簡便にドアベル２の初期設定ができるので、ドアベル２の設置に伴うユーザ側の負担が軽減される。
このように、上記構成によれば、初期設置をより簡易に行うことができるドアベル２の設定方法を提供することができる。
【００７０】
＜第三動作例＞
次に、図８を参照して、第三動作例に係るドアベル２の初期設定方法について説明する。図８は、可視光通信を用いたドアベル２の初期設定に係る流れを示すフロー図である。
【００７１】
第三動作例は、ドアベル２がネットワーク５と接続可能な状態になるためのパスワード情報を、可視光光線通信を用いて、ドアベル２に伝達している点で第一動作例と異なっている。
【００７２】
図８のステップＳ２１からＳ２２は、図３のステップＳ１からＳ２と同様なので、説明を割愛する。また、ステップＳ２８及びＳ２９についても、図３のステップＳ８及びＳ９と同様なので、説明を割愛する。
【００７３】
移動通信端末４にドアベル２の位置情報が入力されると、入力された情報に基づいて、ドアベル２がネットワーク５と接続可能な状態になるためのパスワード情報がアプリケーションによって生成される（ステップＳ２３）。
【００７４】
上述のパスワード情報が生成されると、移動通信端末４は、当該パスワード情報を含んだ可視光線や赤外線等を射出することが可能になる（ステップＳ２４）。
【００７５】
ユーザは、端末４によって、パスワード情報を含んだ光線を、光線検出部１８に向かって射出する（ステップＳ２５）。
【００７６】
光線検出部１８は、パスワード情報を含んだ光線を検出する。光線検出部１８は、検出した光線を信号に変換し、制御部７に当該信号を送信する。制御部７は、当該信号から、パスワード情報を取得する（ステップＳ２６）。
【００７７】
取得されたパスワード情報は、通信ＩＦ８に伝達される。通信ＩＦ８は、受信したパスワードをルータ２０に送信する。ルータ２０は受信したパスワードに基づいて、ドアベル２とネットワーク５を中継する（ステップＳ２７）。
【００７８】
上記構成によれば、ユーザは、ドアベル２の光線検出部１８に向けて、光線をドアベル２に射出するだけで、ドアベル２の初期設定を完了させることができる。これにより、ユーザはより簡便にドアベル２の初期設定ができるので、ドアベル２の設置に伴うユーザ側の負担が軽減される。
このように、上記構成によれば、初期設置をより簡易に行うことができるドアベル２の設定方法を提供することができる。
【００７９】
＜第四動作例＞
次に、図９を参照して、第四動作例に係るドアベル２の初期設定方法について説明する。図９は、超音波通信を用いたドアベル２の初期設定に係る流れを示すフロー図である。
【００８０】
第四動作例は、ドアベル２がネットワーク５と接続可能な状態になるためのパスワード情報を、超音波通信を用いて、ドアベル２に伝達している点で第一動作例と異なっている。
【００８１】
図９のステップＳ３１からＳ３２は、図３のステップＳ１からＳ２と同様なので、説明を割愛する。また、ステップＳ３８及びＳ３９についても、図３のステップＳ８及びＳ９と同様なので、説明を割愛する。
【００８２】
移動通信端末４にドアベル２の位置情報が入力されると、入力された情報に基づいて、ドアベル２がネットワーク５と接続可能な状態になるためのパスワード情報がアプリケーションによって生成される（ステップＳ３３）。
【００８３】
上述のパスワード情報が生成されると、移動通信端末４は、当該パスワード情報を含んだ超音波を射出することが可能になる（ステップＳ３４）。
【００８４】
ユーザは、端末４によって、パスワード情報を含んだ超音波を超音波検出部１９に向かって射出する（ステップＳ３５）。
【００８５】
超音波検出部１９は、パスワード情報を含んだ超音波を検出する。超音波検出部１９は、検出した光線を信号に変換し、制御部７に当該信号を送信する。制御部７は、当該信号から、パスワード情報を取得する（ステップＳ３６）。
【００８６】
取得されたパスワード情報は、通信ＩＦ８に伝達される。通信ＩＦ８は、受信したパスワードをルータ２０に送信する。ルータ２０は受信したパスワードに基づいて、ドアベル２とネットワーク５を中継する（ステップＳ３７）。
【００８７】
上記構成によれば、ユーザは、ドアベル２の超音波検出部１９に向けて、ドアベル２に超音波を射出するだけで、ドアベル２の初期設定を完了させることができる。これにより、ユーザはより簡便にドアベル２の初期設定ができるので、ドアベル２の設置に伴うユーザ側の負担が軽減される。
このように、上記構成によれば、初期設置をより簡易に行うことができるドアベル２の設定方法を提供することができる。
【００８８】
上記第一動作例では、カメラ９が二次元コードを読み取る例を用いて説明したが、この例に限られない。例えば、カメラ９は人物画像を読み取ることもできる。人物画像は、例えば、写真等である。写真等の人物画像をカメラ９に読み取らせると、映像処理部１５に人物画像のデータが送信される。映像処理部１５は、人物画像を分析し、その人物の例えば、身体的特徴を抽出する。人物画像及びその人物の身体的特徴に関するデータ等は、通信ＩＦ８及びネットワーク５を介して、サーバ３に送信される。サーバ３は、受信したデータを記録する。
【００８９】
ユーザは、カメラ９に読み込ませた人物画像に対し、呼び出しを許可する人物か、それとも呼び出しに応じない人物かの情報（呼出可否条件に関する情報）を、移動通信端末４を介してサーバ３に伝達できる。サーバ３は、受信した当該呼出可否条件に関する情報を記録する。
【００９０】
上記構成によれば、ユーザはドアベル２の初期設定時に、ユーザ自身やユーザの友人といった特定の人物の顔等をサーバ３に記憶させることができる。これにより、呼び出しに応じても問題ない相手については、スムースに屋内へ通すことができる。また、反対に、不審者といった屋内へ通したくない相手に対しては、ユーザの呼出を行わなくなるため、訪問者が来るたびにユーザを呼び出すということがなくなる。
このように、上記構成によれば、不必要にユーザを呼び出すことのないドアベル２の設定方法を提供することができる。
【００９１】
＜初期設定の変形例＞
ドアベルシステム１において、ドアベル２を新規に設定する場合の構成及び設定方法の一例を説明する。
【００９２】
図１のドアベルシステム１において、２つの無線ネットワークを有していてもよい。第一の無線ネットワークは、ルータ２０から発することができる。第二の無線ネットワークは、端末４（例えば、携帯電話）から発することができる。第一の無線ネットワークは、ルータ２０またはサーバ３を介して、ドアベル２と端末４との間の間接的な無線通信を可能にすることができる。第二の無線ネットワークは、ドアベル２と端末４との間の直接的な無線通信を可能にすることができる。端末４は、第二の無線ネットワークを介して、ドアベル２にパスワード及び第一のワイヤレスネットワークの名前を送信することができる。なお、第二の無線ネットワークはパスワードを必要としなくても良い。
ドアベル２は、認識可能なネットワーク名（例えば、サービスセット識別子）を有するそれ自体の無線ネットワーク（例えば、Ｗｉ-Ｆｉネットワーク）を作成する。端末４のアプリケーションが認識可能なネットワーク名を有する新しい無線ネットワークを検出すると、ユーザは、初期設定に関する指示を、端末４を介して入力できる。この初期設定に関する指示は、端末４をドアベル２の無線ネットワークに一時的に接続させるものである。ユーザは、端末４から対象となる無線ネットワーク（第一の無線ネットワーク）の名前およびパスワードを選択し、ドアベル２に送信することができる。ドアベル２は、第一の無線ネットワーク（例えば、セキュリティシステムが取り付けられている建物の無線ネットワーク）に接続し、自身の無線ネットワーク（第二の無線ネットワーク）を切断することができる。
【００９３】
ユーザが、第一の無線ネットワークの名前とパスワードを端末４に入力すると、第一の無線ネットワークの名前とパスワードはドアベル２に伝達される。なお、端末４は、ドアベル２のネットワーク（第二の無線ネットワーク）の名前を認識し、自動的にドアベル２のネットワークに接続し、第一の無線ネットワークの名前とパスワードをドアベル２に送信するようにしても良い。
【００９４】
端末４は、第一の無線ネットワークの名前およびパスワード、またはこれらを伝達するための画像（例えば、高速応答コード）を表示可能である。端末４は、例えば、タッチスクリーン上に白黒画像を点滅させることによって、光のパルスを生成し、第一の無線ネットワークの名前またはパスワードに関する画像を表示することができる。ドアベル２は、カメラ９と映像処理部１５によって当該画像（例えば、高速応答コード）をスキャンしてデコードし、第一の無線ネットワークの名前とパスワードを特定する。ドアベル２は、特定した第一の無線ネットワークの名前とパスワードを使用して、第一の無線ネットワークに接続することができる。なお、第一の無線ネットワークのパスワードのみがドアベル２に伝達されるようにしても良い。ドアベル２は、検出された各無線ネットワークを、端末４から取得したパスワードを用いてテストすることで、接続可能な無線ネットワークを識別するようにしても良い。
【００９５】
また、端末４は、第一の無線ネットワークの名前および／またはパスワードに対応する音声信号を生成し報音しても良い。この場合、ドアベル２は、マイク１２および音声認識部１７によって、端末４から報音された音声信号を分析および復号して、第一の無線ネットワークの名前および／またはパスワードを受け取ることができる。
また、端末４は、モールスコードを介して（例えば、光パルスを使用して）第一の無線ネットワークの名前および／またはパスワードをドアベル２に送信しても良い。さらに、ドアベル２は、Ｂｌｕｅｔｏｏｔｈ（登録商標）を介して端末４とペアリングされても良い。すなわち、端末４は、Ｂｌｕｅｔｏｏｔｈ（登録商標）を介して第一の無線ネットワークの名前および／またはパスワードをドアベル２に送信することができる。
また、端末４は、赤外線を射出して、第一の無線ネットワークの名前および／またはパスワードをドアベル２に送信するようにしても良い。赤外線通信は、端末４が有する発光部を用いてドアベル２に送信することができる。
【００９６】
次に、ドアベル２の初期設定方法について説明する。ドアベル２の初期設定として、ドアベル２と端末４とを第一の無線ネットワークを介して接続するために、ドアベル２のユーザは、セットアップモードを実行する必要がある。このセッアップモードは、例えば、ネットワーク接続モードを備える。
【００９７】
例えば、ドアベル２のユーザが呼出ボタンを所定の秒数だけ長押したことに基づいて、ドアベル２はネットワーク接続モードに入る。ネットワーク接続モードにおいて、制御部７は、ドアベル２を識別するための識別情報（ドアベル２に関連付けられたドアベル識別コード）を制御部７の有するメモリ等から読み出す。
次に、制御部７は、識別情報を端末４に送信するための第一の無線ネットワークを検出する。制御部７は、例えば、ドアベル２から所定距離の範囲内にある無線ネットワークを検索することにより第一の無線ネットワークを検出することができる。
次に、制御部７は、検出した第一の無線ネットワークを介して、第一の無線ネットワークに関連付けられた端末４に対して、ドアベル識別コードを送信する。ドアベル識別コードは、ドアベル２と端末４とが通信することを許可されているかどうかを確認するためのものである。
次に、端末４は、受信したドアベル識別コードに基づいて、第二の無線ネットワークを介して、ドアベル２に対して第一の無線ネットワークでの通信を許可するためのパスワードを送信する。パスワードの送信は、端末４から第二の無線ネットワークを通じてドアベル２に直接送信しても良く、サーバ等の別の電子装置を介してドアベルに間接的に送信しても良い。
次に、ドアベル２は、端末４から受信したパスワードを用いて、特定した第一の無線ネットワークに接続する。
【００９８】
尚、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００９９】
１：ドアベルシステム、２：ドアベル、３：サーバ、４：移動通信端末、５：ネットワーク、６：表示部、７：制御部、８：通信ＩＦ、９：カメラ、１０：操作部、１２：マイク、１３：スピーカ、１４：人感センサ、１５：映像処理部、１７：音声認識部、１８：光線検出部、１９：超音波検出部、２０：ルータ、２１：記憶部、２２：人工知能部、２３：条件記憶部、２４：判断部、２５：呼出通知部、２６：保存部、２７：モーションセンサ、２９：接触認識部
【図１】
2019140652.tif 000003
【図２】
2019140652.tif 000004
【図３】
2019140652.tif 000005
【図４】
2019140652.tif 000006
【図５】
2019140652.tif 000007
【図６】
2019140652.tif 000008
【図７】
2019140652.tif 000009
【図８】
2019140652.tif 000010
【図９】
2019140652.tif 000011